(57)【要約】【課題】  生花容器において、花同士の間の隙間を目立たなくするために設けられる背板を容易に着脱できるようにする。【解決手段】  花器２と、該花器２に生けられた花同士の隙間を目立たなくするために花の背後において前記花器２に立設される背板３と、を備え、前記花器２には、前記背板３を着脱自在に支持する背板保持部１６を形成した。前記背板３を必要としない場合にはこれを容易に取り外すことができるので、生花容器の用途が広がる。また、前記花器２には、前記背板保持部１６が形成されているので、前記背板３の起立状態での支持もしっかりとしたものとなる。【選択図】    図３
2007190268.tif 000002
【特許請求の範囲】
【請求項１】
花器（２）と、該花器（２）に生けられた花同士の隙間を目立たなくするために花の背後において前記花器（２）に立設される背板（３）と、を備え、前記花器（２）には、前記背板（３）を着脱自在に支持する背板保持部（１６）が形成されている、生花容器。
【請求項２】
前記背板（３）は、その下部に板状脚部（１２）を有し、前記花器（２）の内部に充填される保水性花挿しベース（１３）と補水容器（１４）とによって前記板状脚部（１２）が挟まれて前記背板（２）の支持が補強されている、請求項１に記載の生花容器。
【請求項３】
前記背板（３）は、その下部に板状脚部（１２）を有し、前記花器（２）の内部に充填される保水性花挿しベース（１３）によって前記板状脚部（１２）が挟まれて前記背板（２）の支持が補強されている、請求項１に記載の生花容器。
【請求項４】
前記背板保持部（１６）が、前記花器（２）の内部底面に形成されて相互間に前記背板（３）の下端部（１２ａ）を受け入れる前後一対の下側起立片（１７ａ，１７ｂ）と、前記花器（２）の上縁部（１９）に形成されて相互間に前記背板（３）の左右一対の下向き縁部（２０ａ，２０ｂ）のそれぞれを受け入れる前後一対の上側起立片（１８ａ，１８ｂ）と、を含んでいる、請求項１，２又は３に記載の生花容器。
【請求項５】
前記背板（３）が、前記花器（２）の中央部より後側に立設され、前記花器（２）に両端部（２７，２７）を取り付けられる手提げ用取っ手（４）が、平面視で前記花器（２）の中央部を横切って前記背板（３）と平行に延びている、請求項１，２，３又は４に記載の生花容器。
【請求項６】
前記手提げ用取っ手（４）と前記花器（２）との連結部（２８）の構造は、前記花器（２）に設けられた挿通孔（２９）と、前記手提げ用取っ手（４）の前記各端部（２７）に形成された抜け止め（３１）と、前記花器（２）と一体に形成された差込片（３０）と、を備え、前記端部（２７）を前記挿通孔（２９）に挿通し、且つ、前記差込片（３０）を前記抜け止め（３１）とは反対側で前記挿通孔（２９）に差し込むことにより、該挿通孔（２９）が塞がって前記抜け止め（３１）が前記花器（２）に抜け出し不能に係合せしめられる、請求項５に記載の生花容器。
【請求項７】
前記花器（２）の内周面の少なくとも一部と、前記花器（２）の内部に充填される保水性花挿しベース（１３）の外周面の少なくとも一部との間に、前記花器（２）の周方向に沿って並ぶ複数の貯水空間（２４）が形成されている、請求項１乃至６のいずれか一項に記載の生花容器。
【発明の詳細な説明】
【技術分野】
【０００１】
本発明は、生花容器に関する。
【背景技術】
【０００２】
例えば、葬儀の際に供えられる生花は、花器に充填された発泡合成樹脂等からなる保水性花挿しベースに茎を挿して生けられるが、花（特に菊）は頭部が最も大きいため、いかに密集させて生けたとしても、茎と茎の間に隙間が見えてしまうことがある。しかし、この隙間は見えない方が見栄えが良い。
【０００３】
そこで、前記隙間を目立ち難くするために、黒色又はそれに近い色の背板をねじで花器に固着した生花容器が提供されている。但し、出願人は、文献としては不知である。
【発明の開示】
【発明が解決しようとする課題】
【０００４】
しかしながら、前記背板は、前記花器にねじで固着してあるため、不要な場合でも、容易に取り外すことができない。また、前記従来のものは、前記背板が前記花器の後面に固着してあり、手提げ用の取っ手が前記背板に固着してあるので、前記手提げ用取っ手を握って前記花器を持ち上げた場合、取っ手の固着位置と花器の重心がずれているために、該花器が斜めになってしまい、持ち運び時のバランスが悪い等の問題もある。
【０００５】
本発明は、前記の如き問題を解決し得る生花容器を提供しようとするものである。
【課題を解決するための手段】
【０００６】
前記課題を解決するため、本発明に係る生花容器は、花器と、該花器に生けられた花同士の隙間を目立たなくするために花の背後において前記花器に立設される背板と、を備え、前記花器には、前記背板を着脱自在に支持する背板保持部が形成されたものである（請求項１）。
【０００７】
本発明に係る生花容器によれば、前記背板を必要としない場合にはこれを容易に取り外すことができるので、生花容器の用途が広がる。また、前記花器には、前記背板保持部が形成されているので、前記背板の起立状態での支持もしっかりとしたものとなる。
【０００８】
好適な実施の一形態として、前記背板は、その下部に板状脚部を有し、前記花器の内部に充填される保水性花挿しベースと補水容器とによって前記板状脚部が挟まれて前記背板の支持が補強されているものとすることもできる（請求項２）。
【０００９】
前記保水性花挿しベースは、発泡合成樹脂等で形成され、保水性を有するとともに、挿し込まれた花の茎をしっかりと保持する作用を奏する、公知の部材である。また、前記補水容器は、水を蓄えて前記保水性花挿しベースに水分を供給するための容器であり、これも、公知の部材である。これら公知の部材を用いて前記背板の支持を補強せしめれば、一層好適である。
【００１０】
なお、前記補水容器に代えて、保水性花挿しベースをもう一つ使用し、保水性花挿しベース同士の間で前記板状脚部が挟まれて前記背板の支持が補強されるようにすることもできる（請求項３）。
【００１１】
他の好適な実施の一形態として、前記背板保持部が、前記花器の内部底面に形成されて相互間に前記背板の下端部を受け入れる前後一対の下側起立片と、前記花器の上縁部に形成されて相互間に前記背板の左右一対の下向き縁部のそれぞれを受け入れる前後一対の上側起立片と、を含むものとすることもできる（請求項４）。このようにすれば、上下二箇所で前記背板が保持されるので、簡易な構成ながら、前記背板の起立状態がしっかりとしたものとなる。
【００１２】
好適な実施の一形態として、前記背板が、前記花器の中央部より後側に立設され、前記花器に両端部を取り付けられる手提げ用取っ手が、平面視で前記花器の中央部を横切って前記背板と平行に延びているものとすることもできる（請求項５）。この場合、前記花器の中央部より後側に前記背板が立設されるので、花を生けるためのスペースが不足することがなく、且つ、前記手提げ用取っ手を握って前記花器を持ち上げた場合のバランスが悪くなることもない。
【００１３】
他の好適な実施の一形態として、前記手提げ用取っ手と前記花器との連結部の構造は、前記花器に設けられた挿通孔と、前記手提げ用取っ手の前記各端部に形成された抜け止めと、前記花器と一体に形成された差込片と、を備え、前記端部を前記挿通孔に挿通し、且つ、前記差込片を前記抜け止めとは反対側で前記挿通孔に差し込むことにより、該挿通孔が塞がって前記抜け止めが前記花器に抜け出し不能に係合せしめられるものとすることもできる（請求項６）。このようにすれば、前記花器への前記手提げ用取っ手の取り付けが容易であり、簡易な構成にして前記花器への取付強度も高い等の利点がある。
【００１４】
好適な実施の一形態として、前記花器の内周面の少なくとも一部と、前記花器の内部に充填される保水性花挿しベースの外周面の少なくとも一部との間に、前記花器の周方向に沿って並ぶ複数の貯水空間が形成されたものとすることもできる（請求項７）。この貯水空間に水を貯留できれば、前記保水性花挿しベースの水分が長持ちするので、生花の寿命が長く保たれる。
【００１５】
なお、前記貯水空間は、前記花器の内周面に凹凸を設けることで形成することもできるし、前記保水性花挿しベースの外周面に凹凸を設けることで形成することもできる。
【発明を実施するための最良の形態】
【００１６】
以下、添付図面を参照して、本発明の実施の一形態について説明する。
【００１７】
図１は、本発明の実施の一形態に係る生花容器の使用状態を示す斜視図、図２は、図１の分解斜視図、図３は、花器と背板との結合関係を示す分解斜視図、図４は、図１の縦断側面図、図５は、花器と手提げ用取っ手との結合関係を示す分解斜視図、図６及び図７は、手提げ用取っ手の花器への取り付け方法を示す断面図である。
【００１８】
図１に示すように、本発明の実施の一形態に係る生花容器１は、花器２と、該花器２に生けられた花同士の隙間を目立たなくするために花の背後において前記花器２に立設される背板３と、前記花器２に取り付けられた手提げ用取っ手４と、を備えている。前記生花容器１の用途は、限定はされないが、葬儀のお供え用生花容器として用いるのが最も一般的である。
【００１９】
前記花器２の材質としては、プラスチックを採用するのが好ましい。その理由は、軽量であり、製造が容易であり、繰り返して使用しても壊れ難く、長期間使用しても変色や色落ち等の問題が生じ難いからである。また、プラスチックを採用すれば、後述する折り曲げ自在な差込片３０を前記花器２に一体形成することが容易ともなり、好都合である（図６、図７参照）。
【００２０】
図３に示すように、前記花器２の底面の中央部には、洋花用スタンド５を連結するためのスタンド取付用凹部６が、上方へ窪ませて形成されている。前記洋花用スタンド５は、例えば、図３に仮想線で示したようなほぼ円錐体状の台座であり、その上端部に、前記スタンド取付用凹部６に嵌合する花器取付用凸部７を備えている。前記花器２の底面に前記スタンド取付用凹部６を設けたことにより、前記花器２を、菊用の花器としてだけではなく、洋花用の花器としても使用することができる。
【００２１】
図１に示すように、前記背板３は、前記花器２に生けられた生花の背後に配置されている。前記背板３は、前から生花を見たときに、花同士の間の隙間が透けて見えないようにして、生花の見栄えを良くするためのものである。したがって、前記背板３の大きさ及び形状は、生けられる花の全体の輪郭に対応する大きさ及び形状とし、前記背板３の少なくとも前面の色は、黒色又はそれに近い色とするのが通常である。前記背板３の材質は問わないが、耐久性や軽量性の観点から、前記花器２と同様に、プラスチック製とするのが好ましい。
【００２２】
前記背板３には、名札ホルダー８が設けられている。該名札ホルダー８には、生花の贈り主を表示するための名札９が挿脱自在とされている。図１の例では、半円状とされた前記背板３の背面の上部中央に、前記名札ホルダー８が固着されている。該名札ホルダー８の固着方法に制限はなく、接着剤による接着、ねじ止め、リベット止め等、適宜の固着方法を採用することができる。また、前記名札ホルダー８は、前記背板３の成形時に該背板３に対して一体成形することとしても良い。
【００２３】
前記名札ホルダー８は、従来公知の名札９の支柱１０を上から挿し込むことができる広さの、上下方向に延びる有底の筒状空間を画成する。したがって、従来の公知の名札をそのまま使用することができ、且つ、前記名札９の挿し込み及び抜き取りが極めて容易に行える。名札９の抜き差しが容易であるので、該名札９の取り替え作業が容易となる。よって、葬儀の直前になって生花の配列順序を大幅に変更せざるを得なくなった場合でも、容易且つ迅速に対応することができる。
【００２４】
前記背板３は、不要な場合には簡単に取り外せるように、前記花器２に対して着脱自在とされている。前記背板３の立設位置は、より多くの花を生けることができるように、平面視で前記花器２の中央部より後側とするのが好ましい。
【００２５】
前記背板３は、生けられた花の背後に広がる半円状の主体部１１（図１参照）と、該主体部１１の下部に連続して設けられた板状脚部１２（図３参照）と、を備えている。該板状脚部１２は、前記花器２の内部に挿入される。
【００２６】
前記花器２には、前記背板３を着脱自在に支持する背板保持部１６が形成されている。該背板保持部１６は、図３に示すように、前後一対の下側起立片１７ａ，１７ｂと、前後一対の上側起立片１８ａ，１８ｂと、を含んでいる。前記前後一対の下側起立片１７ａ，１７ｂは、前記花器２の内部底面に左右に二組形成され、相互間に前記背板３の前記板状脚部１２の下端部１２ａを受け入れる。前記前後一対の下側起立片１７ａ，１７ｂ同士の前後間隔は、前記板状脚部１１の厚みよりごく僅かに大きい寸法とする。一方、前記前後一対の上側起立片１８ａ，１８ｂは、前記花器２の上縁に形成されたフランジ部１９の上面に左右に二組形成され、相互間に前記背板３の前記主体部１１の左右一対の下向き縁部２０ａ，２０ｂのそれぞれを受け入れる。前記前後一対の上側起立片１８ａ，１８ｂ同士の前後間隔も、前記主体部１１の厚みよりごく僅かに大きい寸法とする。この構成により、前記背板３は、上下二箇所で前記花器２に保持されるので、簡易な構成ながら、前記背板３の起立状態がしっかりとしたものとなる。
【００２７】
なお、図３に示すように、前記花器２の内部底面の左右両側にも、前記板状脚部１２を挟むように起立する前後一対の柱部材２１ａ，２１ｂを設ければ、前記背板の起立状態での支持がより強固となって、尚一層好適である。
【００２８】
図２及び図４に示すように、前記背板３は、前記花器２の内部に充填される保水性花挿しベース１３と補水容器１４とによって前記板状脚部１２が前後から挟まれて、前記花器２内における起立状態が補強されている。
【００２９】
前記保水性花挿しベース１３は、発泡合成樹脂等で形成され、保水性を有するとともに、挿し込まれた花の茎をしっかりと保持する作用を奏する、公知の部材である。本実施の形態では、前記保水性花挿しベース１３は、多くの花を挿すことができるように、前記花器２の内部の前側で花器の容積の４分の３程度を占める大きさとされている。
【００３０】
また、前記補水容器１４は、水を蓄えて前記保水性花挿しベース１３に水分を供給するための容器であり、これも、公知の部材である（意匠登録第１０４５８９３号公報参照）。前記補水容器１４は、注水口１５を上に向けた状態で中に水を入れ、図２及び図４に示すように、前記注水口１５を下向きにして前記花器２の内部の後側の空間に挿入する。その結果、前記保水性花挿しベース１３に含まれる水分が花材に吸引されたり、前記保水性花挿しベース１３の上面より蒸発するのに応じて、前記注水口１５から前記保水性花挿しベース１３へと自然に水分が補給される。
【００３１】
なお、前記補水容器１４に代えて、該補水容器１４とほぼ同じ形状の保水性花挿しベースを使用し、二つの保水性花挿しベース同士の間で前記板状脚部１２を挟んで、前記背板３の起立状態を補強せしめることもできる。
【００３２】
図３において、符合２２ａ，２２ｂは、前記補水容器１４を支持する左右一対の補水容器支持柱である。該補水容器支持柱２２ａ，２２ｂは、前記補水容器１４の前記注水口１５の左右両側の肩部２３ａ，２３ｂ（図２参照）を支えて、下向きの前記注水口１５が前記花器２内で塞がれてしまうことがないように、前記注水口１５を浮かせた状態で前記補水容器１４を支持する。
【００３３】
図２に示すように、前記花器２の内周面の少なくとも一部と、前記花器２の内部に充填される保水性花挿しベース１３の外周面の少なくとも一部との間には、前記花器２の周方向に沿って並ぶ複数の貯水空間２４が形成されている。これらの貯水空間２４は、前記花器２の内周面に凹凸を連続的に設けることで形成することもできるし、前記保水性花挿しベース１３の外周面に凹凸を連続的に設けることで形成することもできるが、本実施の形態では、前者を採用している。
【００３４】
すなわち、図２に示すように、前記花器２の内周面には、該花器２の内部に充填される保水性花挿しベース１３の外周面との接触部となる、上下方向に延びる凸条部２５と、前記保水性花挿しベース１３の外周面との間に前記貯水空間２４を画成する凹部２６とが、前記花器２の周方向に交互に形成されている。前記保水性花挿しベース１３を前記花器２内に充填すると、該花器２の内部で前記凸条部が前記保水性花挿しベース１３の外周面に接触するので、該保水性花挿しベース１３は、動かないようにしっかりと保持される。また、前記凹部２６を設けたことで、前記花器２の内面と前記保水性花挿しベース１３の外側面との間には、前記貯水空間２４が形成される。したがって、この貯水空間２４に水を貯留できれば、前記保水性花挿しベース１３の水分が長持ちするので、生花の寿命が長く保たれる。
【００３５】
次に、前記手提げ用取っ手４について説明する。該手提げ用取っ手４は、花を生けた状態でも前記花器２をバランス良く持ち運べるように、平面視で前記花器２の中央部を横切って前記背板３と平行となるように配設されている。
【００３６】
図１に示すように、前記手提げ用取っ手４は、倒立Ｕ字状のものあり、プラスチックを材料として、高い引張り強度を有するように形成されている。前記手提げ用取っ手４の両端部（下端部）は、前記花器２の前記フランジ部１９に取り付けられている。
【００３７】
前記手提げ用取っ手４の端部２７と前記花器２との連結部２８の構造は、図５に示す通りである。まず、前記花器２の前記フランジ部１９には、前記手提げ用取っ手４の端部２７を受け入れる挿通孔２９が形成されている。該挿通孔２９は、上から見て円形の輪郭の前記花器２の直径上に位置するように、前記フランジ部１９に形成されている（図２参照）。また、前記花器２には、前記挿通孔２９に隣接する位置に、二箇所で折り曲げ自在な差込片３０が一体に形成されている。一方、前記手提げ用取っ手４の端部２７には、凹部３５を形成することによりフック状の抜け止め３１が形成されている。該抜け止め３１は、図６及び図７に示すように、前記凹部３５に嵌合する凸部３６を前記挿通孔２９内に形成することにより形成された段部３２又は角部に引っ掛かって、前記手提げ用取っ手４の抜け出しを防止する。
【００３８】
前記手提げ用取っ手４を前記花器２に取り付けるには、図６に示すように、前記手提げ用取っ手４の端部２７を前記挿通孔２９に上から挿通する。そして、図７に示すように、前記抜け止め３１を前記挿通孔２９内の段部３２又は前記挿通孔２９の角部に係合させた状態で、前記差込片３０を前記抜け止め３１とは反対側で前記挿通孔２９に差し込む。その結果、前記差込片３０によって前記挿通孔２９が塞がって、前記凹部３５内に前記凸部３６が嵌合し、前記抜け止め３１が前記段部３２又は前記角部に抜け出し不能に係合せしめられる。前記差込片３０を前記挿通孔２９から引き出せば、前記凹部３５と前記凸部３６との嵌合を解除し得るだけの余裕が前記挿通孔２９内にできて、前記抜け止め３１と前記段部３２との係合を解除することができるので、前記手提げ用取っ手４の端部２７を前記挿通孔２９から抜き取ることができる。
【００３９】
前記手提げ用取っ手４は、前記花器２に簡単に取り付けることができ、必要な場合には簡単に取り外すこともでき、さらに、簡易な構成にして前記花器２への取付強度も高い等の利点がある。
【００４０】
なお、一本の前記手提げ取っ手４だけでは前記花器２を持ち運ぶ際の強度が不十分であれば、例えば、前記花器２の前部と前記手提げ用取っ手４の長さ方向の中央部とを連結する帯状の補強取っ手（図示せず）を設ける等、適宜の補強手段を講ずることもできる。前記補強取っ手と前記花器との連結部の構造も、前記に準じたものとすれば良い。
【００４１】
また、前記連結部２８の構造は、花器に対するものには限定されず、容器一般とその手提げ用取っ手との連結部について適用することができ、さらに、前記手提げ用取っ手４を例とする第一の部材と、前記花器２を例とする第二の部材との連結部の構造として一般化できることは、勿論である。
【図面の簡単な説明】
【００４２】
【図１】本発明の実施の一形態に係る生花容器の使用状態を示す斜視図である。
【図２】図１の分解斜視図である。
【図３】花器と背板との結合関係を示す分解斜視図である。
【図４】図１の縦断側面図である。
【図５】花器と手提げ用取っ手との結合関係を示す分解斜視図である。
【図６】手提げ用取っ手の花器への取り付け方法を示す断面図である。
【図７】手提げ用取っ手の花器への取り付け方法を示す断面図である。
【符号の説明】
【００４３】
２    花器
３    背板
９    名札
１２  板状脚部
１３  保水性花挿しベース
１４  補水容器
１６  背板保持部
１７ａ，１７ｂ  前後一対の下側起立片
１８ａ，１８ｂ  前後一対の上側起立片
１９  上縁部（フランジ部）
２４  貯水空間
２５  接触部（凸状部）
２６  凹部
２７  手提げ用取っ手の端部
２８  連結部
２９  挿通孔
３０  差込片
３１  抜け止め
【図１】
2007190268.tif 000003
【図２】
2007190268.tif 000004
【図３】
2007190268.tif 000005
【図４】
2007190268.tif 000006
【図５】
2007190268.tif 000007
【図６】
2007190268.tif 000008
【図７】
2007190268.tif 000009